(57)【特許請求の範囲】
【請求項１】
家屋の外壁或いは敷地のへい等に埋設して取付けられる箱本体に投入口と取出口を設けた郵便受箱において、
前記箱本体の天井部に天井面に沿って隙間を介して天井カバーが着脱自在に設けられ、  フラット薄板状の取出口蓋を上下方向並びに前後方向に曲面状にスライドさせて開閉可能に前記取出口に取り付けるとともに、スライドによる全開時に前記取出口蓋の全体を前記箱本体の天井面との隙間に収容して前記天井カバーに保持させるよう構成したことを特徴とする郵便受箱。
【請求項２】
前記フラット薄板状の取出口蓋の両端部を前記取出口の両側枠に設けたガイドレールに沿ってスライドし得るように構成したことを特徴とした請求項１の郵便受箱。
【請求項３】
前記ガイドレールをガイド溝で構成し、かつ該ガイド溝の入口部を巾狭にかつその奥部を巾広に形成して前記取出口蓋の両端部とガイド溝とが線接触するように構成したことを特徴とした請求項２の郵便受箱。
【請求項４】
前記取出口蓋の上端部に切欠部を設けて構成したことを特徴とした請求項１乃至請求項３の郵便受箱。
【請求項５】
前記取出口蓋の下端部に巾の大きい取手部を取付けて構成したことを特徴とした請求項１乃至請求項４の郵便受箱。
【請求項６】
前記取手部の所定位置に施錠用穴を設けたことを特徴とした請求項１乃至請求項５の郵便受箱。
【発明の詳細な説明】
【０００１】
【発明の属する技術分野】
本発明は家屋の外壁或はへい等に埋設して取付けられる郵便受箱に係り、特に郵便物の取出口に湾曲可能なフラット薄板状の取出口蓋をスライドして開閉し得るように取付けて構成した郵便受箱に関するものである。
【０００２】
【従来の技術】
従来のこの種の取出口に取出口蓋の開閉自在に取付けて構成した技術としては、例えば特開平８−１７３３０３号公報（第１公知技術）、実開昭５２−６６９８号公報（第２公知技術）、実開昭６１−４３４８４号公報（第３公知技術）、実開平４−７７３７５号公報（第５公知技術）等が知られている。
【０００３】
前記第１公知技術は、取出口蓋の上縁を取出口の上枠に支軸を介して開閉自在に取付けた構造である。また、前記第２公知技術は、予め円弧状に折曲成形された開閉蓋を取出口に沿って斜め上下方向にスライド自在に開閉し得る如く構成し、該開閉蓋を全開した際には、天井部に設けたガイド板ばねで開閉蓋の上端を挟持して、開閉蓋が自動的に落下して取出口を閉鎖することを防止するようにした技術である。
【０００４】
前記第３公知技術は、前記第１公知技術と同様に、取出口蓋の上縁を取出口の上枠に枢着し、該取出口蓋を支軸を中心に開閉し得るように構成した技術である。前記第４公知技術は、取出口に設けられた取出口蓋を特殊な構造の蝶番金具を介して取出口の上部に取付け、取出口蓋を上方に開いた際に、取出口蓋を郵便受箱内に水平方向に押すことによって一時的にロックして、取出口蓋が自動的に閉まらないようにした構造である。前記第５公知技術は、前記第１公知技術等と同様にアルミニウム成形材製の取出口蓋を取出口の上方部に回動自在に取付けた構造である。
【０００５】
【発明が解決しようとする課題】
然るに、前記第１公知技術、第３公知技術及び第５公知技術は、いずれも取出口蓋を取出口に回動自在に取付けて構成するので、取出口の周りに取出口蓋を手前に回転するための所定のスペースが必要となり、面積に制約がある問題があった。
【０００６】
また、これ等の技術に於いては、郵便受箱の中に投入口より郵便物を強く投入した場合には、投入された郵便物が取出口蓋に当って、取出口蓋が自動的に開いてしまう問題もあった。さらに、これ等の技術に於いては、箱内の郵便物を取出す際に、片手で取出口蓋を開いた状態に保たなければならないので、大きな郵便物、或は重量のある郵便物を取出す場合には極めて不便である問題があった。
【０００７】
かつ、前記第２公知技術に於いては、予め円弧状に折曲成形された開閉蓋を取出口にスライド可能に取付けなければならないので、開閉蓋がコスト高になると共に、円弧状の開閉蓋をスムーズに取出口及び箱の天井部に沿って摺動させるための構造が複雑になり、故障の問題やコストの問題があった。
【０００８】
この第２公知技術の場合には、開閉蓋を天井部に移動させることによって、開閉蓋をほぼ水平に保つことによって、一時的に停止させることは出来るが、大きな郵便物を郵便受箱内に投入した場合等に郵便物が天井部にはね上がって天井面に当接した際には、この郵便物によって開閉蓋が開かなくなる問題もあった。
【０００９】
さらに、前記第４公知技術に於いては、特に図６（ａ）、（ｂ）、（ｃ）に示す如く、取出口５１に設けられた取出口蓋５２を蝶番金具５３を中心にして回転させるので、前記第１公知技術等と同様に、取出口５１の周りに回転させるための所定のスペースが必要となる問題があった。また、取出口蓋５２は上方に開いた際に、箱内に押し込むことによってフック部材５４を介して一時的にロックすることは可能であるが、この取出口蓋５２に外力が掛かった際、或は取出口蓋５２の操作を間違った際には、取出口蓋５２のフック部材５４等のロック機構が簡単に破損してしまう問題があった。図中５５は郵便受箱、５６は投入口、５７は投入口蓋である。
【００１０】
本発明に係る郵便受箱は、前述の従来の問題点に鑑み開発された全く新しい技術であって、特に容易に湾曲し得るフラット薄板状の取出口蓋を取出口に上下方向並びに前後方向にスライドし得る如く取付けて構成した郵便受箱の技術を提供するものである。
【００１１】
【課題を解決するための手段】
本発明に係る郵便受箱は前述の従来の問題点を根本的に改善した発明であって、その第１発明の要旨は、家屋の外壁或いは敷地のへい等に埋設して取付けられる箱本体に投入口と取出口を設けた郵便受箱において、前記箱本体の天井部に天井面に沿って隙間を介して天井カバーが着脱自在に設けられ、フラット薄板状の取出口蓋を上下方向並びに前後方向に曲面状にスライドさせて開閉可能に前記取出口に取り付けるとともに、スライドによる全開時に前記取出口蓋の全体を前記箱本体の天井面との隙間に収容して前記天井カバーに保持させるよう構成したことを特徴とした郵便受箱である。
【００１２】
前述の第１発明に於いては、フラット薄板状の取出口蓋を郵便物の取出口に上下方向並びに前後方向に曲面状にスライドして開閉し得る如く取付けたので、取出口を開く場合には、取出口蓋を上方向に押し上げながらその上端部から徐々に湾曲させて箱内の天井面に沿って箱内方向に移動させ、取出口蓋全体をほぼ水平に保ちながら自動的に停止させて、取出口を大きく開いて郵便物を取出すことが出来る。
【００１３】
従って、前述の公知例の取出口蓋を手前に回動させる場合と異なり、取出口蓋を回動させるスペースを全く不要とすることが出来る。また、取出口蓋を開いた状態に安定して停止させることが出来るので、従来の如く、片手で蓋を開きながら郵便物を取出す必要がなく、両手で郵便物を取出すことが出来る。また、前述のように郵便受箱の天井部に天井カバーをほぼ平行に取付けることによって両者間に所定高さの隙間を形成したので、取出口のガイドレールに沿って上昇する取出口蓋をこの隙間内に安定した状態で収納することが出来る。従って、この隙間内に取出口蓋を収納した場合には、取出口蓋の大部分が水平状態となるので、取出口蓋をこの状態で自動的に停止させることが出来、これによって取出口を安定した状態で開口させることが出来る。さらに、天井カバーを天井部に着脱自在に取付けたので、郵便受箱の組立途中の段階で簡単に装着することが出来、かつ、天井部に天井カバーが取付けられているので、郵便受箱に投入された大きな郵便物或は投入された後で天井部にはね上がる郵便物もこの天井カバーで規制することが出来、これによって郵便物が天井部に移動して来る取出口蓋の邪魔になることを防止出来る。
【００１４】
本発明に係る郵便受箱の第２発明の要旨は、前記フラット薄板状の取出口蓋の両端部を前記取出口の両側枠に設けたガイドレールに沿ってスライドし得るように構成したことを特徴とした第１発明の郵便受箱である。
【００１５】
前述の第２発明に於いては、前述のように前記フラット薄板状の取出口蓋の両端部を取出口の両側枠に設けたガイドレールに沿ってスライドし得るように構成したので、湾曲し易いフラット薄板状の取出口蓋を安定した状態でガイドしてスライドさせることが出来、これによって開閉を容易にすることが出来る。
【００１６】
本発明に係る郵便受箱の第３発明の要旨は、前記ガイドレールをガイド溝で構成し、かつ該ガイド溝の入口部を巾狭にかつその奥部を巾広に形成して前記取出口蓋の両端部とガイド溝とが線接触するように構成したことを特徴とした第２発明の郵便受箱である。
【００１７】
前述の第３発明に於いては、前記取出口の両側枠に設けたガイドレールをガイド溝で構成したので、取出口蓋はその両端部をこのガイド溝に挿入することによって、安定した状態でスムーズに移動することが出来る。また、ガイド溝の入口部を巾狭にしてその内部を巾広に形成したので、取出口蓋の両端部とガイド溝との接合を線接触させることが出来、これによって取出口蓋のスライド抵抗を少なくし、軽くスムーズに移動させることが出来る。
【００１８】
本発明に係る郵便受箱の第４発明の要旨は、前記取出口蓋の上端部に切欠部を設けて構成したことを特徴とした第１発明乃至第３発明の郵便受箱である。
【００１９】
前述の第４発明に於いては、前記取出口蓋の上端部に切欠部を設けて形成したので、蓋を開口する際に先端部となる取出口蓋の上端部に柔軟性を与えることが出来、これによって蓋を開口する際のガイドレールとの圧迫緩衝効果を減少させ、作動力を安定させることが出来る。
【００２０】
本発明に係る郵便受箱の第５発明の要旨は、前記取出口蓋の下端部に巾の大きい取手部を取付けて構成したことを特徴とした第１発明乃至第４発明の郵便受箱である。
【００２１】
前述の第５発明に於いては、前述のように取出口蓋の下端部に巾の大きい取手部を取付けて構成したので、取出口蓋の全巾のどの場所でも簡単に操作することが出来る。
【００２２】
本発明に係る郵便受箱の第６発明の要旨は、前記取手部の所定位置に施錠用穴を設けたことを特徴とした第１発明乃至第５発明の郵便受箱である。
【００２３】
前述の第６発明に於いては、前記取手部の所定位置に施錠用穴を設けたので、この施錠用穴を利用することによって、取手部を取出口の所定位置に簡単かつ確実に施錠することが出来る。
【００２４】
【００２５】
【００２６】
【００２７】
【発明の実施の形態】
図により本発明に係る郵便受箱の一実施例を具体的に説明すると、図１は本発明に係る郵便受箱の縦断面説明図、図２は図１の郵便受箱の平面図、図３は図１の郵便受箱の取出口の正面図、図４（ａ）、（ｂ）は夫々図３に於けるＡ−Ａ断面図、Ｂ−Ｂ断面図、図５は図４（ａ）に於けるガイド溝と取出口蓋との関係を示す簡略説明図である。
【００２８】
図１乃至図５に於いて、１は本発明に係る郵便受箱の箱本体であって、その片側には郵便物の投入口２が設けられ、かつ該投入口２に対応する反対側には取出口３が設けられている。
【００２９】
前記取出口３には、取出口蓋４が上下方向にスライドして開閉し得る如く設けられている。該取出口蓋４は弾性を有するフラット薄板状より構成されており、この取出口蓋４を取出口３に沿って上昇させた際には、その上端部から後述のガイド溝に沿って円弧状に折れ曲って、箱本体１の天井部５に移動し得るように構成されている。この取出口蓋４の材料としては、一般的に約０．５ｍｍ〜２．０ｍｍ厚のプラスチックシートが有効である。
【００３０】
取出口蓋４の下端部にはその全巾に亘る寸法を持った取手部６が取付けられている。この取手部６の所定位置には施錠用穴７が穿設されている。また、取出口蓋４の上端部には、複数の切欠部８が設けられている。
【００３１】
前記取出口３の両側枠９の対応する内側面には、特に図４（ａ）、（ｂ）及び図５に示す如く、取出口蓋４の両端部を挿入し、かつこれ等の両端部を上下方向にガイドし得るガイド溝１０ａ、１０ｂが設けられている。該ガイド溝１０ａはその入口部を巾狭でその奥部を巾広に形成している。また、ガイド溝１０ｂは入口部とその奥部との巾がほぼ同一に形成されている。
【００３２】
前記ガイド溝１０ａの上端部は、特に図１によって明らかな如く、箱本体１の天井部５の中央部に向って徐々に円弧状に湾曲して形成されており、取出口蓋４を上昇させて取出口３を開いた場合には、このガイド溝１０ａに沿って移動する取出口蓋４の両端部を徐々に折り曲げて、今度は取出口蓋４を天井部５に沿って移動させることが出来るように構成されている。
【００３３】
前記取出口３の下枠１１の外側所定位置には、施錠用穴７を有する突片１２が突設されており、前記取出口蓋４に取付けられた取手部６を下降させた際には、両者に設けた施錠用穴７、７が合致するように構成されている。
【００３４】
図１に於いて、１３は天井カバーであって、箱本体１の天井部５の天井面５ａとの間に所定の高さの隙間１４が形成されるように、天井部５の所定位置に着脱自在に取付けられている。この天井カバー１３の両端は夫々Ｌ状に折り曲げられて折曲片１３ａ、１３ｂを形成しており、一方の折曲片１３ａはフック部１５に天井カバー１３の端部を挿入した際に、この折曲部１３ａで係止し得るように構成されている。
【００３５】
また、他方の折曲部１３ｂは天井面５ａに当接され、これによって前記隙間１４の高さが自動的に保たれるように形成されている。この他方の折曲部１３ｂはボルト１６によって箱本体１内の所定位置に固定されている。
【００３６】
従って、前記隙間１４は天井カバー１３によって安定した状態で確保されるので、前述のように取出口蓋４を上昇させた際に、との取出口蓋４を隙間１４内にほぼ水平に収納することが出来る。また、投入口２より箱本体１内に投入された郵便物の一部が上方にはね上がった場合、或は郵便物の高さが高い場合（この場合にも狭い投入口に無理に押し込まれるので上方にはね上がる）にも、前記天井カバー１３によって郵便物を押えるので、前記隙間１４に影響することがない。
【００３７】
【発明の効果】
本発明に於いては、フラット薄板状の取出口蓋を郵便物の取出口に上下方向並びに前後方向に曲面状にスライドして開閉し得る如く取付けたので、取出口を開く場合には、取出口蓋を上方向に押し上げながらその上端部から徐々に湾曲させて箱内の天井面に沿って箱内方向に移動させ、取出口蓋全体をほぼ水平に保ちながら自動的に停止させて、取出口を大きく開いて郵便物を取出すことが出来る効果を有している。
【００３８】
従って、前述の公知例の取出口蓋を手前に回動させる場合と異なり、取出口蓋を回動させるスペースを全く不要とすることが出来る。また、取出口蓋を開いた状態に安定して停止させることが出来るので、従来の如く、片手で蓋を開きながら郵便物を取出す必要がなく、両手で郵便物を取出すことが出来る効果を有している。
【００３９】
本発明に於いて、前述のように前記フラット薄板状の取出口蓋の両端部を取出口の両側枠に設けたガイドレールに沿ってスライドし得るように構成した場合に於いては、湾曲し易いフラット薄板状の取出口蓋を安定した状態でガイドしてスライドさせることが出来、これによって開閉を容易にすることが出来る効果を有している。
【００４０】
本発明に於いて、前記取出口の両側枠に設けたガイドレールをガイド溝で構成した場合には、取出口蓋はその両端部をこのガイド溝に挿入することによって、安定した状態でスムーズに移動することが出来る。また、ガイド溝の入口部を巾狭にしてその内部を巾広に形成したので、取出口蓋の両端部とガイド溝との接合を線接触させることが出来、これによって取出口蓋のスライド抵抗を少なくし、軽くスムーズに移動させることが出来る等の多大な効果を有している。
【００４１】
本発明に於いて、前記取出口蓋の上端部に切欠部を設けて形成した場合には、蓋を開口する際に先端部となる取出口蓋の上端部に柔軟性を与えることが出来、これによって蓋を開口する際のガイドレールとの圧迫緩衝効果を減少させ、作動力を安定させることが出来る効果を有している。また、前述のように取出口蓋の下端部に巾の大きい取手部を取付けて構成した場合には、取出口蓋の全巾のどの場所でも簡単に操作することが出来る効果を有している。さらに、本発明に於いて、前記取手部の所定位置に施錠用穴を設けたので、この施錠用穴を利用することによって、取手部を取出口の所定位置に簡単かつ確実に施錠することが出来る効果も有している。
【００４２】
本発明に於いて、前述のように郵便受箱の天井部に天井カバーをほぼ平行に取付けることによって両者間に所定高さの隙間を形成した場合には、取出口のガイドレールに沿って上昇する取出口蓋をこの隙間内に安定した状態で収納することが出来る。従って、この隙間内に取出口蓋を収納した場合には、取出口蓋の大部分が水平状態となるので、取出口蓋をこの状態で自動的に停止させることが出来、これによって取出口を安定した状態で開口させることが出来る効果を有している。
【００４３】
さらに、前記天井カバーを天井部に着脱自在に取付けた場合には、郵便受箱の組立途中の段階で簡単に装着することが出来る。かつ、天井部に天井カバーが取付けられているので、郵便受箱に投入された大きな郵便物或は投入された後で天井部にはね上がる郵便物もこの天井カバーで規制することが出来、これによって郵便物が天井部に移動して来る取出口蓋の邪魔になることを防止出来る等の多大な効果も有している。
【図面の簡単な説明】
【図１】本発明に係る郵便受箱の縦断面説明図である。
【図２】図１の郵便受箱の平面図である。
【図３】図１の郵便受箱の取出口の正面図である。
【図４】図４（ａ）、（ｂ）は夫々図３に於けるＡ−Ａ断面図、Ｂ−Ｂ断面図である。
【図５】図４（ａ）に於けるガイド溝と取出口蓋との関係を示す簡略説明図である。
【図６】図６（ａ）、（ｂ）、（ｃ）は夫々従来例の郵便受箱を示す断面説明図である。
【符号の説明】
１ 箱本体 ２ 投入口
３ 取出口 ４ 取出口蓋
５ 天井部 ６ 取手部
７ 施錠用穴 ８ 切欠部
９ 両側枠 １０ａ ガイド溝
１０ｂ ガイド溝 １１ 下枠
１２ 突片 １３ 天井カバー
１３ａ 折曲片 １３ｂ 折曲片
１４ 隙間 １５ フック部
【図１】
0004034553.tif 000002
【図２】
0004034553.tif 000003
【図３】
0004034553.tif 000004
【図４】
0004034553.tif 000005
【図５】
0004034553.tif 000006
【図６】
0004034553.tif 000007